(57)【特許請求の範囲】
【請求項１】
炭酸泉の流入路と炭酸泉の排出部を備えた炭酸泉供給ヘッドであり、炭酸泉の流入路内に調整コマ用ネジを構成すると共に、外周にネジを設け内部に炭酸泉の流通路を有する調整コマを構成し、前記調整コマを前記調整コマ用ネジに螺合させて進退可能に取り付け、一端を炭酸泉供給ヘッドの内面に当接し、他端を前記調整コマに当接したスプリングを設け、前記調整コマを前進又は後退させて前記スプリングの線間距離を変更させることを特徴とする炭酸泉供給ヘッド。
【請求項２】
炭酸泉の流入路と炭酸泉の排出部を備えた炭酸泉供給ヘッドにおいて、炭酸泉の流入路内に、炭酸泉供給用ホースの連結用ネジと調整コマ用ネジを構成すると共に、内部に炭酸泉の流通路を有し外周にネジを設けると共に回転手段を備えた調整コマを構成し、前記調整コマを前記炭酸泉の流入路内の調整コマ用ネジに螺合させて進退可能に取付け、一端を炭酸泉供給ヘッドの内面に当接し、他端を前記調整コマに当接したスプリングを設け、前記調整コマを前進又は後退させて前記スプリングの線間距離を変更させることを特徴とする炭酸泉供給ヘッド。
【請求項３】
前記調整コマの端面に溝部を構成し、この溝部を工具で操作して調整コマを回転させて前進又は後退させることを特徴とする請求項１又は２記載の炭酸泉供給ヘッド。
【請求項４】
前記調整コマの内部の炭酸泉の流通路の断面を多角形状又は楕円形状とし、この流通路内に工具を挿入して調整コマを回転させて前進又は後退させることを特徴とする請求項１又は２記載の炭酸泉供給ヘッド。
【発明の詳細な説明】
【技術分野】
【０００１】
本発明は、炭酸泉製造装置のシャワーヘッドや撹拌ヘッド等に使用される炭酸泉供給ヘッドに関するものである。
【背景技術】
【０００２】
従来より、炭酸ガスが溶解した湯又は水である炭酸泉は優れた保温作用があることが知られており、炭酸泉の製造装置も多数提案されている。本発明者は、特許文献１により炭酸泉製造装置の撹拌ヘッドの内部に収納するスプリングユニットに関する発明を提案した。
【先行技術文献】
【特許文献】
【０００３】
【特許文献１】特開２０１５−８７５８号公報
【０００４】
特許文献１記載の発明は、湯又は水に炭酸ガスを溶解させる炭酸泉製造装置における炭酸泉を排出する撹拌ヘッド又はシャワーヘッド等のヘッド内に配置するスプリングユニットであり、圧縮バネと前記圧縮バネの下端に構成した底板とからなり、湯又は水は圧縮バネの間隙を通過して排出されることを特徴としている。
【発明の概要】
【発明が解決しようとする課題】
【０００５】
前記特許文献１記載の発明では、バネを天板と底板で挟み支持杆で連結してユニットを構成し、天板を上下動させることで圧縮バネの線間の隙間距離を変更する機構となっていて、このユニットをヘッド内に組み込むものである。そのため、ユニットを構成する部材の数が多くなり構成が複雑かつ重量が重くなり、更にユニットをヘッドに装着するために装着後の圧縮バネの隙間距離を変更することが困難となるなどの課題があった。
【０００６】
本発明はこのような課題を解決するもので、スプリングの線間距離Ｌの調整機能を損なうことなく構成部品を大幅に削減し、簡素化・軽量化・低コスト化を可能にする炭酸泉供給ヘッドを提供することを目的とする。
【課題を解決するための手段】
【０００７】
請求項１に記載の発明は、炭酸泉の流入路と炭酸泉の排出部を備えた炭酸泉供給ヘッドであり、炭酸泉の流入路内に調整コマ用ネジを構成すると共に、外周にネジを設け内部に炭酸泉の流通路を有する調整コマを構成し、前記調整コマを前記調整コマ用ネジに螺合させて進退可能に取り付け、一端を炭酸泉供給ヘッドの内面に当接し、他端を前記調整コマに当接したスプリングを設け、前記調整コマを前進又は後退させて前記スプリングの線間距離を変更させる炭酸泉供給ヘッドである。
【０００８】
請求項２に記載の発明は、炭酸泉の流入路と炭酸泉の排出部を備えた炭酸泉供給ヘッドにおいて、炭酸泉の流入路内に、炭酸泉供給用ホースの連結用ネジと調整コマ用ネジを構成すると共に、内部に炭酸泉の流通路を有し外周にネジを設けると共に回転手段を備えた調整コマを構成し、前記調整コマを前記炭酸泉の流入路内の調整コマ用ネジに螺合させて進退可能に取付け、一端を炭酸泉供給ヘッドの内面に当接し、他端を前記調整コマに当接したスプリングを設け、前記調整コマを前進又は後退させて前記スプリングの線間距離を変更させる炭酸泉供給ヘッドである。
【０００９】
請求項３に記載の発明は、前記調整コマの端面に溝部を構成し、この溝部を工具で操作して調整コマを回転させて前進又は後退させる炭酸泉供給ヘッドである。
【００１０】
請求項４に記載の発明は、前記調整コマの内部の炭酸泉の流通路の断面を多角形状又は楕円形状とし、この流通路内に工具を挿入して調整コマを回転させて前進又は後退させる炭酸泉供給ヘッドである。
【発明の効果】
【００１１】
請求項１記載の炭酸泉供給ヘッドによれば、炭酸泉供給ヘッド内部の炭酸泉の流入路内に構成した調整コマ用ネジに螺合させて、調整コマを前進又は後退可能に取り付け、炭酸泉供給ヘッドの内面に一端を当接し他端を前記調整コマに当接して固定したスプリングを配してなるから、構成が簡素化され軽量化と低コスト化を可能とした。またスプリングの線間距離を変更させるには、炭酸泉供給ヘッド内部に調整コマとスプリングを装着したままで、調整コマを前進又は後退させる簡易な方法で行える等の効果を奏する。
【００１２】
請求項２記載の炭酸泉供給ヘッドによれば、炭酸泉の流入路内に設けた調整コマ用ネジに螺合させて調整コマを前進又は後退可能に取り付け、炭酸泉供給ヘッド本体の内面に一端を当接し他端を前記調整コマに当接して固定したスプリングを配してなり、調整コマを回転して移動させ任意の位置で固定させることができるから、構成が簡素化され軽量化と低コスト化を可能とし、調整コマを炭酸泉供給ヘッド内部に装着したままでスプリングの線間距離の微調整が容易に行えるなどの効果を奏する。
【００１３】
請求項３記載の炭酸泉供給ヘッドによれば、前記調整コマの端面に溝部を構成し、この溝部をドライバ等の工具で操作して調整コマを回転させ前進又は後退できるから調整コマの構成が簡易でスプリングの線間距離の微調整が容易に行える。
【００１４】
請求項４記載の炭酸泉供給ヘッドによれば、前記調整コマの流通路を利用してスパナ等で操作して調整コマを回転させ前進又は後退できるから調整コマの構成が簡易でスプリングの線間距離の微調整が容易に行える。
【図面の簡単な説明】
【００１５】
【図１】炭酸泉供給ヘッドの使用例を示す説明図
【図２】炭酸泉供給ヘッドの実施形態１の斜視図
【図３】炭酸泉供給ヘッドの実施形態１の正面断面図
【図４】炭酸泉供給ヘッドの実施形態２の正面断面図
【図５】炭酸泉供給ヘッドの実施形態１の底面図
【図６】調整コマの実施形態１の斜視図
【図７】調整コマの実施形態１の正面図（ａ）、同実施形態２の正面断面図（ｂ）及び同実施形態３の正面図（ｃ）
【図８】調整コマの実施形態４の斜視図
【図９】調整コマの実施形態４の正面図
【図１０】炭酸泉供給ヘッドの実施形態３の正面断面図
【図１１】炭酸泉供給ヘッドの実施形態４の正面断面図
【図１２】炭酸泉供給ヘッドの実施形態５の斜視図
【図１３】炭酸泉供給ヘッドの実施形態６の斜視図
【図１４】炭酸泉供給ヘッドの使用例を示す説明図
【図１５】炭酸泉供給ヘッドの実施形態７の斜視図
【発明を実施するための形態】
【００１６】
図に基づいて本発明の炭酸泉供給ヘッドの実施形態１を説明する。本実施形態の炭酸泉供給ヘッドはシャワーヘッドとして用いられるものであり使用状態の一例を説明すると、図１に示すように、浴室の壁７２に取り付けた混合水栓７１に炭酸ガスを供給するチューブ７３を備えたホース７０を取り付け、このホース７０の先端に炭酸泉供給ヘッド１を取り付けるのである。
【００１７】
図３において、炭酸泉供給ヘッド１は、外周部１１の内部に空間部１９を構成し、後方（図３中右方）に基部１４を、前方（同左方）に前板部１２を構成すると共に下方（同下方）には炭酸泉を外部に排出させるための小孔２１が多数施された排出部２が構成されている。
【００１８】
前記基部１４には、炭酸泉の取入口である炭酸泉の流入路１５を設ける。この炭酸泉の流入路１５は前記空間部１９に連通していて、内周に炭酸泉を供給するホース７０を連結するための連結用ネジ１６と、調整コマ３を取り付けるため調整コマ用ネジ１７が設けられている。
前記調整コマ用ネジ１７は前記連結用ネジ１６より前方に設けられ、かつ連結用ネジ１６の径は調整コマ用ネジ１７の径と同じかそれより大きい径とする。
【００１９】
調整コマ３の実施形態１乃至３を図６及び図７に示す。調整コマ３はスプリング４の線間距離Ｌを調整するものであり、表面にネジ３４を構成し中央に炭酸泉の流通路３３を有していて、前記炭酸泉の流入路１５に設けた調整コマ用ネジ１７に螺合して前進又は後退可能に配置されている。
【００２０】
調整コマ３の実施形態１は、図６及び図７（ａ）に示すように後端部の表面に半径方向に溝部３６を削設し、この溝部３６にドライバ等の工具を用いて回転させることで前後移動させるのである。前記調整コマ３の前端部の中央に円板状の突出部３１を構成し、その周囲にスプリングの受け部３２を構成する。この突出部３１は調整コマ３の径より小さく、スプリング４はスプリングの受け部３２に安定して支持される。
【００２１】
図７（ｂ）に示す調整コマ３の実施形態２は、前端部の突出部３１ａをスプリングの受け部３２の外周縁にリング状に構成したものである。これによってスプリング４の外周を支持するため、スプリング４の位置決めが容易となりスプリング４は安定して支持される。
【００２２】
図７（ｃ）に示す調整コマ３の実施形態３は、前端部に突出部を設けずスプリングの受け部３２を平面としたもので、構成が簡易となる。
【００２３】
一方、炭酸泉供給ヘッド１の空間部１９内にはスプリング４を配置する。前記スプリング４の一端は炭酸泉供給ヘッド１の前板部１２の内面１３に構成した凹部１３ａに当接し、他端は前記のスプリングの受け部３２に当接して支持されている。このとき凹部１３ａとスプリングの受け部３２の表面は平行であるから、スプリング４はその中心軸が前板部１２に対して直角の状態で支持されている。そのためスプリング４の線間距離Ｌが均一となり、スプリング４から均等に混合されて均一化した良質の炭酸泉が噴出していくのである。
また、炭酸泉供給ヘッド１の前板部１２のスプリング４の一端が当接する部分は凹部１３ａを設けずに平坦な面としてもよい。
【００２４】
また、図４に示す炭酸泉供給ヘッドの実施形態２のように、前記前板部１２の内面１３に凸部１３ｂを構成して、この凸部１３ｂの周囲にスプリング４を嵌めるようにして支持してもよい。このとき内面１３とスプリングの受け部３２の表面は平行であるから、スプリング４はその中心軸が前板部１２に対して直角の状態で支持されている。
【００２５】
炭酸泉供給ヘッド１は、後述のように用途により各種の形状、構造が考えられるが、本発明の核となる調整コマ３によるスプリング４の線間距離Ｌの調整手段は共通して備えているのである。
【００２６】
上記のように構成した本発明の実施形態１の作用を説明する。
ホ−ス７０の先端に連結用ネジ１６を用いて炭酸泉供給ヘッド１を取り付けホース７０より炭酸泉を流入させると、炭酸泉は炭酸泉の流入路１５を通り調整コマ３の流通路３３を通過してスプリング４に至る。そして、スプリング４の線間から空間部１９内に噴出する。このとき炭酸泉はスプリング４の線間によって混合されてより濃度の高い炭酸泉となる。その後炭酸泉の排出部２より外部へ排出される。
【００２７】
スプリング４の線間距離Ｌの調節は、調整コマ３の溝部３６にドライバ等の工具（図示せず）を当てて調整コマ３を回転させれば、調整コマ３は調整コマ用ネジ１７に沿って前方あるいは後方へ移動するから、スプリング４の線間距離Ｌの微調整が可能となる。このように基部１４の外側から工具を差し込んで炭酸泉の濃度の調整が簡単に行え、同時に調整コマ３の交換も容易に行えるのである。
【００２８】
調整コマの実施形態４を図８、図９に示す。本実施形態の調整コマ５は、表面にネジ５４を構成し、中央に設けた炭酸泉の流通路５３の周面５６の周方向の断面形状が正六角形である。使用に際しては前記炭酸泉の流入路１５に設けた調整コマ用ネジ１７に前進又は後退可能に螺合する。また調整コマ５の前端部に突出部５１を構成し、図中５２はスプリングの受け部である。前記突出部５１とスプリングの受け部５２の構成は、前記調整コマ３の実施形態２、３の突出部３１ａ又はスプリングの受け部３２と同様な構成とすることができる。  
前記調整コマ５を移動させる場合は、流通路５３に六角棒スパナを入れて調整コマ５を回転させて前進又は後退させることができる。流通路５３の断面形状は六角形に限らず他の形状、例えば四角形等の多角形、楕円形等真円以外の形状が選択でき、スパナの形状もそれに合わせて適宜変更する。
【００２９】
前記調整コマ３、５の材質は耐食性に優れ硬質の材料が望ましい。また前記スプリング４は耐食性に優れかつ反発力が長期間変化しない材質が望ましく、線材の表面高精度のなめらかさを有しかつ線材の断面形状も高精度の物が望ましい。またスプリング４の装填する数は一つでも良いが複数の使用も可能である。
【００３０】
炭酸泉供給ヘッドの実施形態３を図１０に示す。
本実施形態では外周部１１の内面にスプリングの支持部１１ａを設けてある。スプリング４は、この支持部１１ａにスプリング４の一端を当接させて他端を調整コマ３の受け部３２に当接させて支持される。支持部１１ａの表面と受け部３２の表面は平行であり、連結用ネジ１６と調整コマ用ネジ１７及びスプリング４が同軸上に配列されていて、スプリング４の中心軸は支持部１１ａの表面に対して直角となっている。
連結用ネジ１６と調整コマ用ネジ１７及びスプリング４の中心線が同軸上に配列されているため、調整コマ３とスプリング４の装着及び取り外しが容易に行える。
【００３１】
次に炭酸泉供給ヘッドの他の実施形態を説明する。この場合前記実施形態１と同一の構成部分は、図３と同一の符号を付してその説明は省略する。
【００３２】
図１１に炭酸泉供給ヘッドの実施形態４を示す。本実施形態の炭酸泉供給ヘッド１０２は浴槽内に置いたり浴槽や壁に取り付けたりして使用する撹拌ヘッドとしても用いられるものである。この炭酸泉供給ヘッド１０２は、実施形態１の炭酸泉供給ヘッド１の前板部の部分に炭酸泉を排出するための排出部２を構成したものであり、スプリング４は前記排出部２と調整コマ３の間に支持されているため簡易な構成となっている。
【００３３】
図１２に炭酸泉供給ヘッドの実施形態５を示す。この炭酸泉供給ヘッド１０３は前板部２０ａには排出孔２１を設けずに、外周部１１の先端の周囲に排出孔２１，２１・・を穿設してある。スプリング４（図示せず）は前記実施形態４と同様に前記前板部２０ａと調整コマ３（図示せず）の間に支持されている。
【００３４】
図１３に炭酸泉供給ヘッドの実施形態６を示す。この炭酸泉供給ヘッド１０４は、前記実施形態４の炭酸泉供給ヘッド１０２の外周部１１の前方外周の全域にフランジ１１０を構成したものである。
このフランジ１１０は、浴槽１２０内部に炭酸泉供給ヘッド１０４を取り付けるためのものであり、図１４に示すように浴槽１２０の一部にフランジ１１０を取り付けて炭酸泉供給ヘッド１０４を配置し、浴槽１２０内に炭酸泉を供給する。浴槽１２０以外にも他の容器に取り付けることもできる。
【００３５】
図１５に炭酸泉供給ヘッドの実施形態７を示す。この炭酸泉供給ヘッド１０７は実施形態５の炭酸泉供給ヘッド１０３の前板部２０ａを外周部１１より大きく構成してフランジ１１２を構成したものである。この実施形態は前板部２０ａの表面積が広いから浴槽等に置いたときに安定性が良い。
【００３６】
前記のように炭酸泉の使用目的により炭酸泉供給ヘッドに専用構造を持たせて使用することができる。上述したように炭酸泉供給ヘッドには、シャワーヘッドと浴槽などへの注入用の撹拌ヘッドの２つの用途がある（特許第５２５９８７１号参照）。これらはそれぞれ専用の構造をした炭酸泉供給ヘッドを使用することでより高い効果が得られる。さらに撹拌ヘッドの場合は浴槽や容器の壁に固定することも可能であり、またホースの内部にコイルを配置した特許第５２５９８６９号の技術のように他の技術との組み合わせも可能である。
【００３７】
また炭酸泉製造装置内で炭酸ガス溶解の特別の手段を持たないで、混合栓から出た温水にボンベから炭酸ガスを混入し炭酸ガスと湯の混合水を移送させるだけの装置でも、本発明の炭酸泉供給ヘッドを使用することにより炭酸ガスの溶解度を大きくあげることが出来る。
【００３８】
上述のように本発明の各実施形態によれば、炭酸泉供給ヘッドの内側でスプリングを当接して支持している前板部の内面あるいは凹部は、平坦でかつスプリングと調整コマの配列軸に対し直角となっていて、炭酸ガスの溶解度を上げるスプリングの機能は維持し、スプリングの取り付け及びスプリングの線間距離の調整も容易に行え、構成部材が削減されその結果、簡素化・軽量化・低コスト化を実現できるのである。
【符号の説明】
【００３９】
１  炭酸泉供給ヘッド          ２  排出部
３  調整コマ                  ４  スプリング
１１  外周部                  １２  前板部
１４  基部                    １５  炭酸泉の流入路
１６  連結用ネジ              １７  調整コマ用ネジ
１９  空間部                  ３６  溝部（回転手段）
５６  流通路の周面（回転手段）  Ｌ  線間距離
【要約】
【課題】  スプリングの線間距離の調整機能を損なうことなく構成部品を大幅に削減し、簡素化・軽量化・低コスト化を可能にする炭酸泉供給ヘッドを提供する。
【解決手段】  炭酸泉の流入路と炭酸泉の排出部を備えた炭酸泉供給ヘッドにおいて、炭酸泉の流入路内に、炭酸泉供給用ホースの連結用ネジと調整コマ用ネジを構成すると共に、内部に炭酸泉の流通路を有し外周にネジを設けると共に回転手段を備えた調整コマを構成し、前記調整コマを前記炭酸泉の流入路内の調整コマ用ネジに螺合させて進退可能に取付け、一端を炭酸泉供給ヘッドの内面に当接し、他端を前記調整コマに当接したスプリングを設けた炭酸泉供給ヘッド。
【選択図】図３【図１】
0006029784.tif 000002
【図２】
0006029784.tif 000003
【図３】
0006029784.tif 000004
【図４】
0006029784.tif 000005
【図５】
0006029784.tif 000006
【図６】
0006029784.tif 000007
【図７】
0006029784.tif 000008
【図８】
0006029784.tif 000009
【図９】
0006029784.tif 000010
【図１０】
0006029784.tif 000011
【図１１】
0006029784.tif 000012
【図１２】
0006029784.tif 000013
【図１３】
0006029784.tif 000014
【図１４】
0006029784.tif 000015
【図１５】
0006029784.tif 000016